(57)【要約】【課題】油圧経路を真空引きしながら作動液を充填した後に、ダイヤフラムを元の形状に自動的に復帰させることができる液圧マスタシリンダのリザーバタンクを提供する。【解決手段】ダイヤフラム９の蛇腹部９ｂを、キャップ側から平面部９ｃの方向に凹む凹状部９ｅと、平面部側からキャップ７の方向に突出する凸状部９ｆとを連続して設けた凹凸状に形成する。凸状部９ｆは、リザーバ本体５ｃの上部開口縁５ｃの形状に応じて短辺部９ｈと長辺部９ｇとを備えた矩形状に形成され、平面部９ｃに、短辺部９ｈに連続してダイヤフラム中央部側に向けて凸状に延出する補強部９ｊを形成する。【選択図】  図１
2017171066.tif 000002
【特許請求の範囲】
【請求項１】
液圧マスタシリンダのシリンダ孔の上部に配置され、ポートを介して前記シリンダ孔に連通する水平方向の断面が矩形状のリザーバ本体と、該リザーバ本体の上部開口縁にダイヤフラムを介して被着されるキャップとを備え、前記ダイヤフラムは、前記リザーバ本体の上部開口縁の形状に応じた矩形状の外形を有し、前記上部開口縁に載置される外端のフランジ部と、該フランジ部の内側に設けられる蛇腹部と、該蛇腹部の下端内側に延設され、作動液の液面の変化に追従する平面部とを備えた液圧マスタシリンダのリザーバタンクにおいて、
前記蛇腹部は、前記キャップ側から前記平面部の方向に凹む凹状部と、前記平面部側から前記キャップの方向に突出する凸状部とが連続して設けられる凹凸状に形成され、前記凸状部は、前記上部開口縁の形状に応じて短辺部と長辺部とを備えた矩形状に形成され、前記平面部に、前記短辺部に連続してダイヤフラム中央部側に向けて凸状に延出する補強部が形成されていることを特徴とする液圧マスタシリンダのリザーバタンク。
【請求項２】
前記補強部は、前記短辺部の中央部に連続して形成されていることを特徴とする請求項１記載の液圧マスタシリンダのリザーバタンク。
【請求項３】
前記蛇腹部は、前記短辺部と前記長辺部とが交わる角部を、外側に向けて凸状に湾曲して形成し、前記補強部は、前記角部の湾曲が始まる長辺部側基部と短辺部側基部とに連続してそれぞれ形成される長辺側補強部と短辺側補強部とを備えるとともに、前記長辺側補強部の先端部と前記短辺側補強部の先端部とを連結させたことを特徴とする請求項１記載の液圧マスタシリンダのリザーバタンク。
【請求項４】
前記補強部は、直線状に形成されることを特徴とする請求項１乃至３のいずれか１項記載の液圧マスタシリンダのリザーバタンク。
【発明の詳細な説明】
【技術分野】
【０００１】
本発明は、自動二輪車や自動三・四輪車の液圧マスタシリンダを作動させる作動液を貯留する液圧マスタシリンダのリザーバタンクに係り、詳しくは、リザーバタンクに用いられるダイヤフラムの構造に関する。
【背景技術】
【０００２】
従来、車両用液圧マスタシリンダのリザーバタンクに用いられるダイヤフラムは、貯液室を備えたリザーバ本体の上部開口縁に載置される外端のフランジ部と、該フランジ部の内側に設けられる蛇腹部と、該蛇腹部中央の下端内側に延設され、作動液の液面の変化に追従する平面部とを備えている（例えば、特許文献１参照。）。
【先行技術文献】
【特許文献】
【０００３】
【特許文献１】実開昭６２−８０７４８号公報
【発明の概要】
【発明が解決しようとする課題】
【０００４】
しかし、上述の特許文献１に示されるダイヤフラムでは、蛇腹部が長方形状に形成されており、作動液充填時に油圧経路を真空引きする際に、ダイヤフラムがリザーバタンクの底部側に引っ張られると、角部が伸びて座屈し、折り皺が発生することがあった。さらに、作動液充填後に蛇腹部が元の形状に復帰する際に、座屈点の飛び移り現象が発生し、いわゆる飛び移り座屈を起こし、いずれかの角部に座屈による変形が集中する虞があった。このため、作動液充填後に蛇腹部が元の形状に復帰し難くなり、作動液充填後にダイヤフラムの形状を作業者が手で復帰させなければならないことがあった。
【０００５】
そこで本発明は、油圧経路を真空引きしながら作動液を充填した後に、ダイヤフラムを元の形状に自動的に復帰させることができる液圧マスタシリンダのリザーバタンクを提供することを目的としている。
【課題を解決するための手段】
【０００６】
上記目的を達成するため、本発明の液圧マスタシリンダのリザーバタンクは、液圧マスタシリンダのシリンダ孔の上部に配置され、ポートを介して前記シリンダ孔に連通する水平方向の断面が矩形状のリザーバ本体と、該リザーバ本体の上部開口縁にダイヤフラムを介して被着されるキャップとを備え、前記ダイヤフラムは、前記リザーバ本体の上部開口縁の形状に応じた矩形状の外形を有し、前記上部開口縁に載置される外端のフランジ部と、該フランジ部の内側に設けられる蛇腹部と、該蛇腹部の下端内側に延設され、作動液の液面の変化に追従する平面部とを備えた液圧マスタシリンダのリザーバタンクにおいて、前記蛇腹部は、前記キャップ側から前記平面部の方向に凹む凹状部と、前記平面部側から前記キャップの方向に突出する凸状部とが連続して設けられる凹凸状に形成され、前記凸状部は、前記上部開口縁の形状に応じて短辺部と長辺部とを備えた矩形状に形成され、前記平面部に、前記短辺部に連続してダイヤフラム中央部側に向けて凸状に延出する補強部が形成されていることを特徴としている。
【０００７】
また、前記補強部は、前記短辺部の中央部に連続して形成されると好ましい。さらに、前記蛇腹部は、前記短辺部と前記長辺部とが交わる角部を、外側に向けて凸状に湾曲して形成し、前記補強部は、前記角部の湾曲が始まる長辺部側基部と短辺部側基部とに連続してそれぞれ形成される長辺側補強部と短辺側補強部とを備えるとともに、前記長辺側補強部の先端部と前記短辺側補強部の先端部とを連結させると良い。また、前記補強部は、直線状に形成されると好適である。
【発明の効果】
【０００８】
本発明の液圧マスタシリンダのリザーバタンクによれば、作動液充填時に油圧経路を真空引きする際に、ダイヤフラムがリザーバタンクの底部側に引っ張られ、蛇腹部の角部が伸びて座屈し、折り皺が発生することがあっても、作動液充填後に蛇腹部が元の形状に復帰する際に、蛇腹部の短辺部に連続する補強部によって、座屈点の飛び移り現象の発生を抑制することができることから、いずれかの角部に座屈による変形が集中することを防止でき、作動液充填後にダイヤフラムを元の形状に自動的に復帰させることができる。
【０００９】
また、補強部を短辺部の中央部に連続して形成することにより、作動液充填後に座屈点の飛び移り現象が発生し易い短辺部側が補強され、作動液充填時に変形したダイヤフラムを元の形状に確実に復帰させることができる。
【００１０】
さらに、蛇腹部は、短辺部と長辺部とが交わる角部を、外側に向けて凸状に湾曲して形成するとともに、角部を長辺側補強部と短辺側補強部とで囲むことにより、作動液充填後に座屈点の飛び移り現象が発生して折り皺が特定の角部に集中することを防止できる。また、長辺側補強部と短辺側補強部とによって、角部の剛性が高められるので、作動液充填後に蛇腹部が元の形状に復帰する際に、角部から元の形状に復帰するとともに平面部は角部に追従して元の形状に復帰し、ダイヤフラム全体を元の形状に良好に復帰させることができる。さらに、補強部を直線状に形成したことにより、簡単な構造で座屈点の飛び移り現象を抑制することができる。
【図面の簡単な説明】
【００１１】
【図１】図２のＩ−Ｉ断面図である。
【図２】本発明の第１形態例を示す液圧マスタシリンダ装置の平面図である。
【図３】同じくダイヤフラムの平面図である。
【図４】図３のＩＶ−ＩＶ断面図である。
【図５】本発明の第１形態例を示すダイヤフラムの平面側斜視図である。
【図６】同じくダイヤフラムの背面側斜視図である。
【図７】油圧経路を真空引きした際のダイヤフラムの説明図である。
【図８】本発明の第２形態例を示すダイヤフラムの平面図である。
【図９】図８のＩＸ−ＩＸ断面図である。
【図１０】本発明の第２形態例を示すダイヤフラムの平面側斜視図である。
【図１１】同じくダイヤフラムの背面側斜視図である。
【図１２】本発明の第３形態例を示すダイヤフラムの平面図である。
【図１３】図１２のＸＩＩＩ−ＸＩＩＩ断面図である。
【図１４】本発明の第３形態例を示すダイヤフラムの平面側斜視図である。
【図１５】同じくダイヤフラムの背面側斜視図である。
【図１６】本発明の第４形態例を示すダイヤフラムの平面図である。
【図１７】図１６のＸＶＩＩ−ＸＶＩＩ断面図である。
【図１８】本発明の第４形態例を示すダイヤフラムの平面側斜視図である。
【図１９】同じくダイヤフラムの背面側斜視図である。
【図２０】本発明の第５形態例を示すダイヤフラムの平面図である。
【図２１】図１９のＸＸＩ−ＸＸＩ断面図である。
【図２２】本発明の第５形態例を示すダイヤフラムの平面側斜視図である。
【図２３】同じくダイヤフラムの背面側斜視図である。
【発明を実施するための形態】
【００１２】
図１乃至図７は本発明の液圧マスタシリンダのリザーバタンクの一形態例を示すもので、バーハンドル車両の車体前部で前輪を操向するハンドルバー１の右側には、液圧マスタシリンダ２と操作レバー３とを組み合わせたフロントブレーキ用の液圧マスタシリンダ装置４が取り付けられている。液圧マスタシリンダ２は、ハンドルバー１に略沿って配置されるシリンダボディ２ａの上部にリザーバタンク５が一体に取り付けられ、シリンダボディ２ａの一端を開口して設けられた有底のシリンダ孔２ｂには、ピストン２ｃが液密且つ移動可能に内挿されており、操作レバー３の握り操作によってピストン２ｃをシリンダ孔２ｂの底部方向へ押動し、シリンダ孔２ｂの底部に設けられた液圧室６に液圧を発生させるようになっている。
【００１３】
リザーバタンク５は、作動液を貯留する貯液室５ａを備えたリザーバ本体５ｂと、該リザーバ本体５ｂの上部開口縁５ｃを覆うキャップ７との間に、ダイヤフラムプレート８とダイヤフラム９とを上下に重合し、キャップ７とダイヤフラムプレート８とダイヤフラム９とに挿通した２本の止めねじ１０をリザーバ本体５ｂの上面に螺着して、これらをリザーバ本体５ｂに一体に取り付けている。
【００１４】
シリンダボディ２ａとリザーバ本体５ｂとは、鋳鉄やアルミニウム合金等によって一体に成形されており、シリンダ孔２ｂと貯液室５ａとをリリーフポート１１及びサプライポート１２（本発明のポート）とで連通して、貯液室５ａ内の作動液をシリンダ孔２ｂへ随時補給したり、シリンダ孔２ｂ内の作動液の一部を貯液室５ａへ還流させるようにしている。
【００１５】
リザーバ本体５ｂは、水平方向の断面がハンドルバー１の軸方向に長い四角形状に形成され、短辺側の内壁中央部に内側に向けて突出するボス部５ｄがそれぞれ設けられ、各ボス部５ｄに、キャップ取り付け用の雌ねじ孔５ｅが上面に開口してそれぞれ設けられている。
【００１６】
キャップ７と、ダイヤフラムプレート８と、ダイヤフラム９とは、リザーバ本体５ｂの上部開口縁５ｃと略同一形状となるハンドルバー１の軸方向に長い平面視四角形状に形成されている。キャップ７は、リザーバ本体５ｂの各雌ねじ孔５ｅと同一位置に、テーパ状のざくり面付きのねじ挿通孔７ａが穿設されている。ダイヤフラムプレート８は、中央に通気孔８ａを備え、外縁部８ｂのリザーバ本体５ｂに形成された雌ねじ孔５ｅに対応する位置に、止めねじ１０を挿通させるねじ挿通孔８ｃがそれぞれ形成されている。
【００１７】
ダイヤフラム９は、リザーバ本体５ｂの上部開口縁５ｃの形状に応じた長方形状の外形を有し、上部開口縁５ｃに載置される外端のフランジ部９ａと、該フランジ部９ａの内側に設けられる蛇腹部９ｂと、該蛇腹部９ｂの下端内側に設けられ、作動液の液面の変化に追従する平面部９ｃとを備え、フランジ部９ａのリザーバ本体５ｂの各雌ねじ孔５ｅと対応する位置には、ねじ挿通孔９ｄがそれぞれ穿設されている。
【００１８】
蛇腹部９ｂは、キャップ側から平面部９ｃの方向に凹む凹状部９ｅと、平面部側からキャップ７の方向に突出する凸状部９ｆとが連続して設けられる凹凸状に形成され、外側に凹状部９ｅが、内側に凸状部９ｆがそれぞれ設けられている。凸状部９ｆは、フランジ部９ａの長辺の内側に形成される長辺部９ｇと、フランジ部９ａの短辺の内側に形成される短辺部９ｈとを備え、短辺部９ｈと長辺部９ｇとが交わる角部９ｉは、外側に向けて凸状に湾曲して形成されている。
【００１９】
平面部９ｃには、各短辺部９ｈの中央部に連続してダイヤフラム中央部側に凸状に延出する補強部９ｊがそれぞれ形成される。補強部９ｊは、短辺部９ｈの上面と面一となる高さの直線状に形成されるとともに、短辺部９ｈに対して直角に延出している。
【００２０】
キャップ７とダイヤフラムプレート８とダイヤフラム９とは、これらを上下に重ね合わせ、キャップ７のねじ挿通孔７ａと、ダイヤフラムプレート８のねじ挿通孔８ｃと、ダイヤフラム９のねじ挿通孔９ｄとを同軸上にセットし、止めねじ１０を上方から挿通し、止めねじ１０の雄ねじ部を雌ねじ孔５ｅに螺合させ、キャップ７のざくり面に、止めねじ１０の頭部を当接させることにより、キャップ７とダイヤフラムプレート８とダイヤフラム９とがリザーバ本体５ｂの上部開口縁５ｃに一体に取り付けられる。
【００２１】
このように形成された液圧マスタシリンダ２は、作動液充填時に油圧経路を真空引きする際に、ダイヤフラム９がリザーバタンク５の底部側に引っ張られ、蛇腹部９ｂが伸びて座屈して折り皺が発生することがあっても、作動液充填後に蛇腹部９ｂが元の形状に復帰する際に、補強部９ｊによって、座屈点の飛び移り現象の発生を抑制できる。これにより、いずれかの角部９ｉに座屈による変形が集中することを防止でき、作動液充填後に蛇腹部９ｂは元の形状に良好に復帰し、ダイヤフラム９を自動的に元の形状に復帰させることができることから、作動液充填時の作業性の向上を図ることができる。
【００２２】
図８乃至図２３は、本発明の他の形態例を示すもので、第１形態例と同様の構成要素を示すものには、同一の符号をそれぞれ付して、その詳細な説明は省略する。
【００２３】
図８乃至図１１は、本発明の第２形態例を示すもので、本形態例のダイヤフラム２１の平面部２１ａには、各短辺部２１ｂに連続してダイヤフラム中央部側に凸状に延出する２本の補強部２１ｃ、２１ｃがそれぞれ形成されている。２本の補強部２１ｃ、２１ｃは、短辺部２１ｂの長手方向に等間隔に形成されるとともに、各補強部２１ｃは、短辺部２１ｂの上面と面一となる高さの直線状で、且つ、短辺部２１ｂに対して直角にそれぞれ延出している。このように、補強部２１ｃの本数を増やすことにより、補強部２１ｃを平面部２１ａの中央部側に延出させる長さを抑えることができ、作動液の液面に追従する平面部４１ａの面積の減少を抑えて、ダイヤフラム２１の液面に対する追従性を確保することができる。
【００２４】
図１２乃至図１５は、本発明の第３形態例を示すもので、本形態例のダイヤフラム３１の平面部３１ａには、各短辺部３１ｂの中央部に連続してダイヤフラム中央部側に凸状に延出する補強部３１ｃがそれぞれ形成されている。各補強部３１ｃは、短辺部３１ｂに連続して短辺部３１ｂに対して直角に延出する基部３１ｄと、基部３１ｄの先端から短辺部３１ｂと平行に延出する先端部３１ｅとを備えたＴ字状に形成され、短辺部３１ｂの上面と面一となる高さに形成されている。本形態例では、先端部３１ｅと長辺部９ｇとの間隔が狭くなっていることにより、角部９ｉの内側の平面部３１ａが作動液充填後に独立して動きやすくなり、作動液充填時に発生した折り皺を元の形状に良好に戻すことができる。
【００２５】
図１６乃至図１９は、本発明の第４形態例を示すもので、本形態例のダイヤフラム４１の平面部４１ａには、第３形態例と同様に、各短辺部４１ｂの中央部に連続して、ダイヤフラム中央部側に凸状に延出するＴ字状の補強部４１ｃが短辺部４１ｂの上面と面一となる高さにそれぞれ形成されるとともに、平面部４１ａの中央部に、長辺部４１ｄ，４１ｄの中央部と補強部４１ｃ，４１ｃの先端部とを結ぶ十字状の補  強リブ４１ｅが設けられている。補強リブ４１ｅは、平面部４１ａよりも僅かにキャップ側に突出して形成され、補強部４１ｃ，４１ｃと補強リブ４１ｅとにより平面部４１ａが４分割され、作動液充填時及び作動液充填後に４分割された平面部４１ａが独立して元の形状に復帰し、座屈点の飛び移り現象の発生を良好に抑制することができる。
【００２６】
図２０乃至図２３は、本発明の第５形態例を示すもので、本形態例のダイヤフラム５１の蛇腹部９ｂに形成される角部９ｉは、第１形態例と同様に、外側に向けて凸状に湾曲して形成され、角部９ｉの湾曲が始まる長辺部５１ａ側の基部と短辺部５１ｂ側の基部とに連続して長辺側補強部５１ｃと短辺側補強部５１ｄとが形成され、さらに、長辺側補強部５１ｃの先端部と短辺側補強部５１ｄの先端部とを連結リブ５１ｅで連結させている。また、長辺側補強部５１ｃと短辺側補強部５１ｄとは、長辺部５１ａ及び短辺部５１ｂの上面と面一と成る高さ、連結リブ５１ｅは、平面部５１ｆよりも僅かにキャップ側に突出してそれぞれ形成されている。さらに、平面部５１ｆの中央部には、一対の馬蹄形の補強用突部５１ｇ，５１ｇが設けられている。
【００２７】
本形態例は、角部９ｉが長辺側補強部５１ｃと短辺側補強部５１ｄとで囲まれていることにより、作動液充填後に座屈点の飛び移り現象が発生して折り皺が特定の角部９ｉに集中することを防止できる。また、長辺側補強部５１ｃと短辺側補強部５１ｄとによって、角部９ｉの剛性が高められることから、作動液充填後に蛇腹部９ｂが元の形状に復帰する際に、角部９ｉから元の形状に復帰し、平面部５１ｆは各角部９ｉに追従して元の形状に復帰することから、ダイヤフラム全体が元の形状に良好に復帰する。
【００２８】
なお、本発明は、上述の各形態例に限るものではなく、タンデムタイプの液圧マスタシリンダ装置にも適用でき、シリンダボディの上部に別体のリザーバタンクを設けたものや、リザーバ本体が樹脂で形成されてものでも良い。また、リザーバタンクにダイヤフラムプレートを備えていないものでも良い。
【符号の説明】
【００２９】
１…ハンドルバー、２…液圧マスタシリンダ、２ａ…シリンダボディ、２ｂ…シリンダ孔、２ｃ…ピストン、３…操作レバー、４…液圧マスタシリンダ装置、５…リザーバタンク、５ａ…貯液室、５ｂ…リザーバ本体、５ｃ…上部開口縁、５ｄ…ボス部、５ｅ…雌ねじ孔、６…液圧室、７…キャップ、７ａ…ねじ挿通孔、８…ダイヤフラムプレート、８ａ…通気孔、８ｂ…外縁部、８ｃ…ねじ挿通孔、９…ダイヤフラム、９ａ…フランジ部、９ｂ…蛇腹部、９ｃ…平面部、９ｄ…ねじ挿通孔、９ｅ…凹状部、９ｆ…凸状部、９ｇ…長辺部、９ｈ…短辺部、９ｉ…角部、９ｊ…補強部、１０…止めねじ、１１…リリーフポート、１２…サプライポート、２１…ダイヤフラム、２１ａ…平面部、２１ｂ…短辺部、２１ｃ…補強部、３１…ダイヤフラム、３１ａ…平面部、３１ｂ…短辺部、３１ｃ…補強部、３１ｄ…基部、３１ｅ…先端部、４１…ダイヤフラム、４１ａ…平面部、４１ｂ…短辺部、４１ｃ…補強部、４１ｄ…長辺部、４１ｅ…補強リブ、５１…ダイヤフラム、５１ａ…長辺部、５１ｂ…短辺部、５１ｃ…長辺側補強部、５１ｄ…短辺側補強部、５１ｅ…連結リブ、５１ｆ…平面部、５１ｇ…補強用突部
【図１】
2017171066.tif 000003
【図２】
2017171066.tif 000004
【図３】
2017171066.tif 000005
【図４】
2017171066.tif 000006
【図５】
2017171066.tif 000007
【図６】
2017171066.tif 000008
【図７】
2017171066.tif 000009
【図８】
2017171066.tif 000010
【図９】
2017171066.tif 000011
【図１０】
2017171066.tif 000012
【図１１】
2017171066.tif 000013
【図１２】
2017171066.tif 000014
【図１３】
2017171066.tif 000015
【図１４】
2017171066.tif 000016
【図１５】
2017171066.tif 000017
【図１６】
2017171066.tif 000018
【図１７】
2017171066.tif 000019
【図１８】
2017171066.tif 000020
【図１９】
2017171066.tif 000021
【図２０】
2017171066.tif 000022
【図２１】
2017171066.tif 000023
【図２２】
2017171066.tif 000024
【図２３】
2017171066.tif 000025